(57)【要約】【課題】システム電源ＩＣから直接補助電源ＩＣを制御できない場合であっても、補助電源ＩＣからの電圧の供給を、システム電源ＩＣからの電圧の供給と連動して確実にオン・オフすることができる電子機器を提供する。【解決手段】演算処理部（ＣＰＵ）２０は、システム電源ＩＣ３２から供給される動作電圧Ｖｄｄ１の保持を要求する制御信号ＣＴＲＬ１を送出する。電圧検出部３３１は、動作電圧Ｖｄｄ１を検出して論理レベルを生成し、さらに微分回路を含む波形整形部３３２により制御信号ＣＴＲＬ２が生成される。ゲート回路３４は、制御信号ＣＴＲＬ１および制御信号ＣＴＲＬ２に基づいて、補助電源ＩＣ３５に対する制御信号ＣＴＲＬ３を生成する。【選択図】図３
2006086949.tif 000002
【特許請求の範囲】
【請求項１】
演算処理部と、
前記演算処理部に対して第１の動作電圧を供給する第１の電圧制御部と、
前記演算処理部以外に対して第２の動作電圧を供給する第２の電圧制御部と、を有し、
前記演算処理部は、前記第１の動作電圧が供給された後に、第１の電圧制御部に対して、当該動作電圧の維持を要求するための第１の制御信号を与え、
前記第２の電圧制御部は、当該第１の制御信号と、前記第１の動作電圧とに基づいて、前記第２の動作電圧を供給するか否かの制御を行う
ことを特徴とする電子機器。
【請求項２】
前記演算処理部に対して第１の動作電圧が供給されてから、少なくとも第１の制御信号が第１の電圧制御部に与えられるまでの間、第１の論理レベルを保ち、第１の制御信号が第１の電圧制御部に与えられた後に、前記第１の論理レベルを反転させた第２の論理レベルとなる第２の制御信号を生成する制御信号生成部を有し、
前記第１の制御信号は、電圧の保持要求有の場合に前記第１の論理レベルとなり、電圧の保持要求無の場合に前記第２の論理レベルとなる制御信号であって、
前記第２の電圧制御部は、前記第１の制御信号および第２の制御信号のいずれかが第１の論理レベルである場合に、前記第２の動作電圧を供給する
ことを特徴とする請求項１記載の電子機器。
【請求項３】
前記第１の論理レベルはハイレベルであり、前記第２の論理レベルはローレベルである
ことを特徴とする請求項２記載の電子機器。
【請求項４】
前記制御信号生成部は、
前記演算処理部に対して供給される第１の動作電圧を検出し、当該第１の動作電圧に応じた論理レベルの検出信号を生成する電圧検出部と、
前記検出信号を微分し、第２の制御信号を生成する波形整形部と、を含む
ことを特徴とする請求項３記載の電子機器。
【請求項５】
前記第１の電圧制御部は、
キー操作による起動指示、外部からの信号による起動指示、充電開始操作による起動指示、指定時刻における起動指示、電源供給遮断から復帰するときの起動指示、のうち少なくとも２つ以上の起動指示のそれぞれに応じて、前記演算処理部に対し第１の動作電圧を供給する
ことを特徴とする請求項１乃至４のいずれか一に記載の電子機器。
【発明の詳細な説明】
【技術分野】
【０００１】
本発明は、電源電圧から制御ＩＣを介して各部に与えられる動作電圧の制御が行われる電子機器に関するものである。
【背景技術】
【０００２】
近年、電子機器は、その高機能化に伴い、内部に様々なデバイスが追加されている。したがって、かかる電子機器における電源電圧の管理が一段と重要になっており、電源電圧の管理に関する様々な技術開発が行われている。
たとえば、下記特許文献１には、設定された時間帯により電源のオン・オフを制御するように構成した、電子機器としての自動車電話機に関する技術が開示されている。
【０００３】
【特許文献１】特開平８−１７２４６９号公報
【発明の開示】
【発明が解決しようとする課題】
【０００４】
ところで、電源としての充電電池（バッテリ）を備える電子機器では、一般的に、バッテリからの電源電圧を受けて、システム電源ＩＣが電源電圧を制御し、電子機器内の各デバイスに動作電圧を供給する。かかるシステム電源ＩＣは、主として、電子機器のＣＰＵに対して動作電圧を供給し、電子機器によっては、ＣＰＵ内部に組み込まれる場合がある。かかる場合には、ＣＰＵ以外のデバイスに対して動作電圧を供給するための補助電源ＩＣが必要となることがある。また、一部のデバイスを他の電子機器と共通化する目的で、当該一部のデバイスへの動作電圧を生成するために、補助電源ＩＣが必要となることがある。
【０００５】
その際に、従来の電子機器では、システム電源ＩＣから補助電源ＩＣを直接制御できない場合があり、システム電源ＩＣからＣＰＵへ供給される動作電圧に基づいて、補助電源ＩＣに対する制御信号を生成する構成を有している。かかる従来の電子機器では、電源オフが行われるときには、システム電源ＩＣからＣＰＵへの電圧の供給が停止され、その電圧の供給停止が補助電源ＩＣに対する制御信号に反映されて、たとえばメモリに対する補助電源ＩＣの電圧の供給が停止される。
【０００６】
しかし、実際には、ＣＰＵへの電圧の供給停止タイミングに対し、補助電源ＩＣへの電圧の供給停止のための制御指示タイミングが遅れることに起因して、補助電源ＩＣのメモリへの電圧の供給が停止できないという問題がある。
すなわち、ＣＰＵへの電圧の供給停止直後には、メモリに供給される電圧がＣＰＵに供給される電圧よりも高い状態となっており、ＣＰＵとメモリとがシステムバスにより接続される場合には、補助電源ＩＣ→メモリ→システムバス→ＣＰＵ→補助電源ＩＣの電流ループが生ずることで、補助電源ＩＣに対する制御信号をＬレベル（電圧の供給停止指示）にすることができない。それゆえ、補助電源ＩＣの電圧の供給を停止することができないという問題が生ずる。
【０００７】
したがって、本発明の目的は、システム電源ＩＣから直接補助電源ＩＣを制御できない場合であっても、補助電源ＩＣからの動作電圧の供給を、システム電源ＩＣからの動作電圧の供給と連動して確実にオン・オフすることができる電子機器を提供することにある。
【課題を解決するための手段】
【０００８】
上記課題を克服するために、本発明は、演算処理部と、前記演算処理部に対して第１の動作電圧を供給する第１の電圧制御部と、前記演算処理部以外に対して第２の動作電圧を供給する第２の電圧制御部と、を有し、前記演算処理部は、前記第１の動作電圧が供給された後に、第１の電圧制御部に対して、当該動作電圧の維持を要求するための第１の制御信号を与え、前記第２の電圧制御部は、当該第１の制御信号と、前記第１の動作電圧とに基づいて、前記第２の動作電圧を供給するか否かの制御を行う電子機器である。
【０００９】
好適には、前記演算処理部に対して第１の動作電圧が供給されてから、少なくとも第１の制御信号が第１の電圧制御部に与えられるまでの間、第１の論理レベルを保ち、第１の制御信号が第１の電圧制御部に与えられた後に、前記第１の論理レベルを反転させた第２の論理レベルとなる第２の制御信号を生成する制御信号生成部を有し、前記第１の制御信号は、電圧の保持要求有の場合に前記第１の論理レベルとなり、電圧の保持要求無の場合に前記第２の論理レベルとなる制御信号であって、前記第２の電圧制御部は、前記第１の制御信号および第２の制御信号のいずれかが第１の論理レベルである場合に、前記第２の動作電圧を供給する。
【００１０】
好適には、前記第１の論理レベルはハイレベルであり、前記第２の論理レベルはローレベルである。
【００１１】
好適には、前記制御信号生成部は、前記演算処理部に対して供給される第１の動作電圧を検出し、当該第１の動作電圧に応じた論理レベルの検出信号を生成する電圧検出部と、
前記検出信号を微分し、第２の制御信号を生成する波形整形部と、を含む。
【００１２】
好適には、前記第１の電圧制御部は、キー操作による起動指示、外部からの信号による起動指示、充電開始操作による起動指示、指定時刻における起動指示、電源供給遮断から復帰するときの起動指示、のうち少なくとも２つ以上の起動指示のそれぞれに応じて、前記演算処理部に対し第１の動作電圧を供給する。
【発明の効果】
【００１３】
本発明によれば、第１の電圧制御部（システム電源ＩＣ）から直接第２の電圧制御部（補助電源ＩＣ）を制御できない場合であっても、第２の電圧制御部からの動作電圧の供給を、第１の電圧制御部からの動作電圧の供給と連動して確実にオン・オフすることができる。
【発明を実施するための最良の形態】
【００１４】
実施形態
以下、本発明に係る電子機器の一実施形態を添付図面に関連付けて説明する。
図１は、本発明の電子機器としての携帯電話機１のシステム構成の一例を図解したブロック図である。図２は、携帯電話機１の外観の一例を図解した図である。
【００１５】
図１に示すように、携帯電話機１は、送受信アンテナ１１１を含む通信処理部１１と、メモリ１２と、スピーカ１３１およびマイクロフォン１３２を含む音声処理部１３と、表示部１４と、キー入力部１５と、演算処理部２０と、を有している。
【００１６】
通信処理部１１は、基地局を介した無線通信動作、たとえば、電話番号の発呼動作や電子メールの送受信動作などを行う。
通信処理部１１は、送受信アンテナ１１１を含んで構成され、電波を利用した無線通信で行うために、演算処理部２０で処理された音声情報、電子メール等を変調して送受信アンテナ１１１により図示しない基地局に送信する。
また、通信処理部１１は、基地局から無線により送信され、送受信アンテナ１１１で受信した電子メールや音声情報等の各種情報を復調して演算処理部２０に出力する。
【００１７】
メモリ１２は、ＥＥＰＲＯＭ等の不揮発性メモリを含んで構成され、通話やメールの送受信のための制御プログラム、インターネットブラウザ、メッセージデータ、名前および電話番号が登録されたアドレス帳などを記憶する。
【００１８】
表示部１４は、図１に示すように、携帯電話機１の筐体の上部に配設された液晶表示装置（ＬＣＤ）等の表示デバイスを有し、演算処理部２０の指示に基づいてテキストデータや画像等を表示デバイス上に表示する。
【００１９】
キー入力部１５は、複数の入力キー（以下、単にキー）を含んで構成される。図２に示すように、複数のキーは、インターネットに接続するためのウェブキー１５ａ、電子メール機能を行うためのメールキー１５ｂ、ソフト１キー１５ｃおよびソフト２キー１５ｆ、上下左右キー１５ｄ、処理を確定させるための決定キー１５ｅ、発話するためのオフフックキー１５ｇ、クリアキー１５ｈ、終話するためのオンフックキー１５ｉ、「０」〜「９」の数字、「＊」、「＃」に対応したテンキー１５ｊからなる。なお、オンフックキー１５ｉには、長押しすることによって電源をオン・オフする機能も割り当てられている。
【００２０】
決定キー１５ｅ、ソフト１キー１５ｃおよびソフト２キー１５ｆは、表示部１４の表示状態に応じて、操作に対する動作が異なるキーである。操作に対する動作内容は、表示部１４の画面最下部に表示される。
上下左右キー１５ｄは、上下左右の４方向の操作が可能なキーである。たとえば、表示部１４が複数の選択項目をリスト表示している場合、上下左右キー１５ｄを操作することで、ユーザは、複数の選択項目の中から１つの選択項目を指定することができる。
【００２１】
キー入力部１５は、入力回路を有し、これらのキーに対するユーザの操作（押下）がなされると、入力回路を介して電気信号を演算処理部２０に伝達する。したがって、演算処理部２０は、いずれのキーが操作されたかについて判断することができる。
【００２２】
音声処理部１３は、音声処理回路を有し、通話機能のために音声出力を行うスピーカ１３１と音声入力を行うマイクロフォン１３２が接続されている。
音声処理部１３は、マイクロフォン１３２により集音した音声に対して符号化等の所定の処理を行って演算処理部２０に供給する。
音声処理部１３は、演算処理部２０により供給された音声情報に対して復号化等の所定の処理を行ってスピーカ１３１から出力させる。
【００２３】
演算処理部２０は、ＣＰＵを主体として構成され、携帯電話機１の全体の制御を行う。たとえば、演算処理部２０は、通信処理部１１における各種情報の無線による送受信の制御、音声処理部１３に対する音声情報の処理、表示部１４への情報の表示制御、キー入力部１５の入力情報に応じた処理、メモリ１２に対するアクセス制御等に関する様々なプログラムの処理を行う。
【００２４】
以上、携帯電話機１の各構成要素について述べた。
次に、携帯電話機１の電源電圧の制御について図３に関連付けて述べる。図３は、バッテリからの電源電圧の制御に関連する携帯電話機１の回路ブロックを示す。
【００２５】
なお、以下の説明において、システム電源ＩＣ３２は、本発明の第１の電圧制御部の一実施形態である。
補助電源ＩＣ３５は、本発明の第２の電圧制御部の一実施形態である。
制御信号生成部３３は、本発明の制御信号生成部の一実施形態である。
制御信号ＣＴＲＬ１は、本発明の第１の制御信号の一実施形態である。
制御信号ＣＴＲＬ２は、本発明の第２の制御信号の一実施形態である。
【００２６】
図３に示すように、携帯電話機１にはバッテリ３１が内蔵される。このバッテリ３１は、図示しないアダプタを介して家庭用の１００Ｖ電源から充電することが可能である。
システム電源ＩＣ３２および補助電源ＩＣ３５は、バッテリ３１の電源電圧を受け、上述した各構成要素に応じた動作電圧（以下、適宜「電圧」と略記）を発生するように、電源電圧の調整を行う。また、システム電源ＩＣ３２および補助電源ＩＣ３５は、制御信号に応じて、各構成要素に対し動作電圧を供給するか否かの制御を行う。
【００２７】
システム電源ＩＣ３２は、主として演算処理部２０に対して動作電圧を供給する電源ＩＣであり、補助電源ＩＣ３５は、演算処理部２０以外の構成要素に対して動作電圧を供給する電源ＩＣである。図３に示す例では、演算処理部２０に対しシステム電源ＩＣ３２から動作電圧Ｖｄｄ１が供給され、メモリ１２に対し補助電源ＩＣ３５から動作電圧Ｖｄｄ２が供給される。
なお、本実施形態におけるシステム電源ＩＣ３２は、補助電源ＩＣ３５を直接制御するための制御信号の出力ポートを有していない。
【００２８】
携帯電話機１では、キー操作による起動指示、たとえばＰＣ(Personal Computer)などの外部からの信号による起動指示、充電開始操作による起動指示、指定時刻における起動指示、一時的な電源供給遮断から復帰するときの起動指示、等の複数の起動指示のうち、少なくとも２つ以上の起動指示のそれぞれに応じて、演算処理部２０に対して電圧の供給が開始される。
たとえば、電源オフ時にユーザが電源をオンするためにオンフックキー１５ｉを長押しすると、起動指示信号が生成され、システム電源ＩＣ３２に供給される。システム電源ＩＣ３２は、これらの起動指示の信号に応じて、バッテリ３１からの電源電圧を調整して動作電圧Ｖｄｄ１を出力する。
【００２９】
システム電源ＩＣ３２は、リセット信号ＲＳＴを生成して、演算処理部２０に供給する。
リセット信号ＲＳＴは、動作電圧Ｖｄｄ１が所定の閾値を上回った場合に、ＬレベルからＨレベルへ変化する。その際、システム電源ＩＣ３２は、動作電圧Ｖｄｄ１が所定の閾値を上回った後に、出力電圧が安定するための遅延時間をもって、リセット信号ＲＳＴのレベルを変化させる。
また、リセット信号ＲＳＴは、動作電圧Ｖｄｄ１が所定の閾値を下回るか、または、演算処理部２０からの制御信号ＣＴＲＬ１がＬレベルとなった場合に、ＨレベルからＬレベルへ変化する。
【００３０】
演算処理部２０は、システム電源ＩＣ３２より与えられるリセット信号ＲＳＴに同期して、動作電圧の維持を要求するための制御信号ＣＴＲＬ１をシステム電源ＩＣ３２に送出する。
なお、演算処理部２０の内部の電源ラインでは、逆接防止のためのダイオード２０１が配設されている。
【００３１】
制御信号生成部３３は、動作電圧Ｖｄｄ１を検出するための電圧検出部３３１と、電圧検出部３３１により検出された動作電圧Ｖｄｄ１を微分して波形整形するための波形整形部３３２と、を含んで構成され、動作電圧Ｖｄｄ１に基づいて、ゲート回路３４に与える制御信号ＣＴＲＬ２を生成する。
電圧検出部３３１は、ノイズ除去フィルタとコンパレータを含んで構成される。すなわち、動作電圧Ｖｄｄ１に対して、ローパスフィルタ等のノイズ除去フィルタによりノイズを除去する。さらに、コンパレータでは、ノイズが除去された動作電圧Ｖｄｄ１が所定の電圧レベルより大きい場合に、出力信号Ｓ３３１をローレベル（Ｌレベル）からハイレベル（Ｈレベル）に変化させる。
【００３２】
波形整形部３３２では、図３に示すように、キャパシタＣ１、抵抗Ｒ１および保護ダイオードＤ１により微分回路が構成される。すなわち、動作電圧Ｖｄｄ１の供給が停止されると、キャパシタＣ１および抵抗Ｒ１により定まる時定数により制御信号ＣＴＲＬ２のレベルが徐々に低下する。
本実施形態では、少なくとも、作動電圧Ｖｄｄ１が立ち上がってからリセット信号ＲＳＴがＨレベルに変化するまでの期間（後述のΔｔ１）、ゲート回路３４にＨレベルと認識される電圧を保持できるように、時定数を設定する。
【００３３】
ゲート回路３４は、ＯＲ論理のゲート回路である。すなわち、演算処理部２０の制御信号ＣＴＲＬ１と制御信号生成部３３の制御信号ＣＴＲＬ２とを入力し、いずれかの信号レベルがＨレベルの場合に、制御信号ＣＴＲＬ３をＨレベルとして補助電源ＩＣ３５に供給する。
【００３４】
また、図３に示すように、演算処理部２０とメモリ１２とは、システムバス９００により接続されている。
【００３５】
次に、図３に示す携帯電話機１の電源オンおよび電源オフの動作を、図４に関連付けて述べる。図４は、図３に示した各信号のレベル変化を示すタイミングチャートであり、（ａ）は動作電圧Ｖｄｄ１を、（ｂ）はリセット信号ＲＳＴを、（ｃ）は電圧検出部３３１の出力信号Ｓ３３１を、（ｄ）は制御信号ＣＴＲＬ２を、（ｅ）は制御信号ＣＴＲＬ１を、（ｆ）は制御信号ＣＴＲＬ３を、（ｇ）は動作電圧Ｖｄｄ２を、それぞれ示す。
【００３６】
電源オン時の動作
まず、電源オン（電源起動）時の動作について説明する。
電源オフの状態において、ユーザがオンフックキー１５ｉを長押しする等により、起動指示信号が与えられると、システム電源ＩＣ３２は、図４（ａ）に示すように、バッテリ３１の電源電圧を調整した動作電圧Ｖｄｄ１を演算処理部２０に対して供給する。その際、電源ラインに配設されたノイズ除去用のキャパシタ等の影響により、動作電圧Ｖｄｄ１の電圧レベルは比較的なだらかに立ち上がる。
【００３７】
リセット信号ＲＳＴは、動作電圧Ｖｄｄ１の電圧レベルが閾値Ｔｈ１を越えてから、出力電圧が安定するための遅延時間が経過した後に、ＬレベルからＨレベルへ変化する。さらに、リセット信号ＲＳＴのレベル変化に同期して制御信号ＣＴＲＬ１がＨレベルとなる。
【００３８】
電圧検出部３３１は、図４（ａ）および（ｃ）が示すように、動作電圧Ｖｄｄ１の電圧レベルが閾値Ｔｈ１を越えた場合に、信号Ｓ３３１をＨレベルの信号として出力する。信号Ｓ３３１がＨレベルとなると同時に、波形整形部３３２の出力である制御信号ＣＴＲＬ２はＬレベルからＨレベルとなる。
【００３９】
図４において、制御信号ＣＴＲＬ２がＨレベルに変化した後、リセット信号ＲＳＴに同期して制御信号ＣＴＲＬ１がＨレベルに変化するまでの期間をΔｔ１とすると、波形整形部３３２の微分回路の時定数は、Δｔ１に対して十分に長く設定されている。したがって、制御信号ＣＴＲＬ２がＨレベルに変化した後、ゲート回路３４によりＨレベルと認識される電圧レベルを維持する期間をΔｔ２とすると、Δｔ１＜Δｔ２が成立する。
【００４０】
すなわち、動作電圧Ｖｄｄ１が閾値Ｔｈ１に達した後において、リセット信号ＲＳＴがＨレベルに変化するまでは制御信号ＣＴＲＬ２がＨレベルを維持し、リセット信号ＲＳＴがＨレベルに変化した後は制御信号ＣＴＲＬ１がＨレベルとなるので、ゲート回路３４の出力である制御信号ＣＴＲＬ３は、図４（ｆ）に示すように、常にＨレベルとなる。
【００４１】
Ｈレベルの制御信号ＣＴＲＬ３が与えられると、補助電源ＩＣ３５は動作電圧Ｖｄｄ２をメモリ１２に供給する。
以上述べたように、電源オン時においては、リセット信号ＲＳＴがＬレベルの期間中においても、図４（ｇ）に示すように、システム電源ＩＣ３２の電圧供給の開始後、補助電源ＩＣ３５からメモリ１２に対して迅速に電圧供給が開始される。
【００４２】
電源オフ時の動作
次いで、電源オフ（電源遮断）時の動作について説明する。
電源オンの状態において、ユーザがオンフックキー１５ｉを長押しする等により、電源オフ指示信号が与えられると、演算処理部２０は、図４（ｅ）に示すように、動作電圧の維持を要求するための制御信号ＣＴＲＬ１をＨレベルからＬレベルに変化させる。これに同期して、システム電源ＩＣ３２が送出するリセット信号ＲＳＴがＨレベルからＬレベルに変化する。
システム電源ＩＣ３２内部では、リセット信号ＲＳＴがＬレベルに変化すると、動作電圧Ｖｄｄ１の出力を停止するように制御が行われる。
【００４３】
電圧検出部３３１では、図４（ａ）および（ｃ）が示すように、動作電圧Ｖｄｄ１の電圧レベルが閾値Ｔｈ２を下回った場合に、コンパレータの動作により出力信号Ｓ３３１がＨレベルからＬレベルに変化する。
【００４４】
ここで、制御信号ＣＴＲＬ２は、電圧検出部３３１の出力信号Ｓ３３１のレベル変化に関わらず、波形整形部３３２の微分回路の動作により、電源オフ指示信号が与えられる以前からＬレベルとなっている。
したがって、ゲート回路３４の出力である制御信号ＣＴＲＬ３のレベル変化は、電源オフ時においては、専ら制御信号ＣＴＲＬ１のレベル変化に依存することになる。すなわち、図４（ｅ）および（ｆ）が示すように、制御信号ＣＴＲＬ１と制御信号ＣＴＲＬ３は、同一タイミングでＬレベルとなる。このタイミングで、図４（ｇ）に示すように、補助電源ＩＣ３５が生成する動作電圧Ｖｄｄ２の出力レベルが低下し始める。
【００４５】
以上述べたように、電源オフ時においては、動作電圧Ｖｄｄ１の遮断と連動して、動作電圧Ｖｄｄ２の遮断が行われる。
【００４６】
以上説明したように、本実施形態に係る携帯電話機１によれば、電源オン時には、リセット信号ＲＳＴがＬレベルの期間中においても、システム電源ＩＣ３２の電圧供給の開始タイミングに対してほぼ同時に、補助電源ＩＣ３５は電圧供給を開始する。
したがって、演算処理部２０以外の構成要素、たとえばメモリ１２に対する電圧供給が迅速に行われ、携帯電話機１の諸機能を安定的に動作させることができる。
【００４７】
本実施形態に係る携帯電話機１によれば、電源オフ時には、波形整形部３３２の動作により制御信号ＣＴＲＬ２がＬレベルとなっているため、制御信号ＣＴＲＬ１がＬレベルに切り替わるタイミングで、すなわち、演算処理部２０に対する動作電圧Ｖｄｄ１の供給が停止するタイミングとほぼ同時に、動作電圧Ｖｄｄ２の遮断が行われる。
その際、ＣＰＵとメモリとがシステムバスを介して電気的に接続されていても、補助電源ＩＣ→メモリ→システムバス→ＣＰＵ（ダイオード２０１）→補助電源ＩＣの電流ループが発生することを波形整形部３３２により防止し、補助電源ＩＣからの電圧の供給を確実に停止させることができる。
【００４８】
本実施形態に係る携帯電話機１によれば、補助電源ＩＣ３５を制御するための制御信号ＣＴＲＬ３を生成するために、コンパレータ、ＣＲ微分回路およびゲート回路のみにより構成することができるので、低コストかつ小規模な回路構成により実装することができる。
【００４９】
本実施形態に係る携帯電話機１によれば、キー操作による起動指示、たとえばＰＣなどの外部からの信号による起動指示、充電開始操作による起動指示、指定時刻における起動指示、一時的な電源供給遮断から復帰するときの起動指示、等の複数の起動指示により演算処理部２０に対して作動電圧の供給を開始する際に、システム電源ＩＣ３２の外部で、これらの起動指示のための信号（起動指示信号）を論理合成して、システム電源ＩＣ３２および補助電源ＩＣ３５に対して制御信号を供給する構成とする必要がなく、各起動指示信号をすべてシステム電源ＩＣ３２に入力させることで、補助電源ＩＣ３５を制御することができる。
したがって、上記論理合成のための回路を必要とせず、携帯電話機１内部の比較的小型な回路基板に実装することが容易であるとともに、携帯電話機１を低コストで実現することができる。
【００５０】
なお、本発明の実施形態は、上述した内容に拘泥せず、本発明の要旨を変更しない範囲で様々な改変が可能である。
たとえば、上記実施形態において、制御信号生成部３３では微分回路を含んで構成しているが、その内容に限定されない。すなわち、電源起動時において、動作電圧Ｖｄｄ１の演算処理部２０に対する供給と同時にＨレベルとなり、制御信号ＣＴＲＬ１がＨレベルに変化した後にＬレベルとなるように、制御信号ＣＴＲＬ２を生成すればよいので、制御信号生成部３３を、電圧検出部３３１とロジック回路により構成することもできる。制御信号ＣＴＲＬ２は、制御信号ＣＴＲＬ１がＨレベルに変化して所定時間経過した後にＬレベルとするような遅延回路により生成するようにしてもよい。
【００５１】
制御信号生成部３３を、電圧検出部３３１とロジック回路により構成する場合には、上述した実施形態とは異なり、電源起動時において、動作電圧Ｖｄｄ１の演算処理部２０に対する供給と同時にＬレベルとなり、制御信号ＣＴＲＬ１がＨレベルに変化した後にＨレベルとなるように、制御信号ＣＴＲＬ２を生成することもできる。その場合には、演算処理部２０が生成する制御信号ＣＴＲＬ１の論理レベルも反転させるとともに、ゲート回路３４をＮＯＲ論理により構成すればよい。
【００５２】
また、上記実施形態の説明では、バッテリ３１の電源電圧をシステム電源ＩＣ３２および補助電源ＩＣ３５が制御して動作電圧を生成する構成としたが、バッテリに限定されず、たとえば、家庭用の交流電源をＤＣ電圧に変換した後に、所定の動作電圧に降圧するような電源ＩＣを有する電子機器に対しても適用することができる。
【図面の簡単な説明】
【００５３】
【図１】実施形態に係る携帯電話機１のシステム構成の一例を図解したブロック図である。
【図２】実施形態に係る携帯電話機１の外観の一例を図解した図である。
【図３】実施形態に係る携帯電話機１において、バッテリからの電源電圧の制御に関連する部分の回路ブロック図である。
【図４】実施形態に係る携帯電話機１における信号のレベル変化を示すタイミングチャートである。
【符号の説明】
【００５４】
１…携帯電話機
１１…通信処理部
１２…メモリ
１３…音声処理部
１４…表示部
１５…キー入力部
２０…演算処理部
３１…バッテリ
３２…システム電源ＩＣ
３３…制御信号生成部
３４…ゲート回路
３５…補助電源ＩＣ
９００…システムバス
【図１】
2006086949.tif 000003
【図２】
2006086949.tif 000004
【図３】
2006086949.tif 000005
【図４】
2006086949.tif 000006